(57)【要約】【課題】化粧シートが剥がれにくく折り曲げ部分の強度を確保することができるＬ型化粧材を提供する。【解決手段】表面３ａ全体に化粧シート２が貼着された基材３を前記表面側が山折りになるように折曲部６で折り曲げて天面部４及び側面部５を有した断面Ｌ字状に形成されるＬ型化粧材１であって、前記天面部には、その一端部分を薄肉状に形成し該薄肉の部分同士が重なり合うように裏面３ｂ側へ折り返して前記基材の板厚ｔ１と同じ板厚となる第１折返部４０が形成され、前記側面部５には、その一端部分を裏面側に折り返して重なり合うことで前記基材の板厚よりも厚肉となる第２折返部５０が形成されていることを特徴とする。【選択図】図１
2016056610.tif 000002
【特許請求の範囲】
【請求項１】
表面全体に化粧シートが貼着された基材を前記表面側が山折りになるように折曲部で折り曲げて天面部及び側面部を有した断面Ｌ字状に形成されるＬ型化粧材であって、
前記天面部には、その一端部分を薄肉状に形成し該薄肉の部分同士が重なり合うように裏面側へ折り返して前記基材の板厚と同じ板厚となる第１折返部が形成され、
前記側面部には、その一端部分を裏面側に折り返して重なり合うことで前記基材の板厚よりも厚肉となる第２折返部が形成されていることを特徴とするＬ型化粧材。
【請求項２】
請求項１において、
前記側面部の裏面には、該裏面に当接した状態で沿うように配されるとともに、一方の端面が前記第２折返部で折り返された前記基材の端面と突き合わせ状態となるスペーサが設けられ、
前記天面部には、前記スペーサの他方の端面が係止される凹溝が形成されていることを特徴とするＬ型化粧材。
【発明の詳細な説明】
【技術分野】
【０００１】
本発明は、Ｌ型化粧材に関する。
【背景技術】
【０００２】
玄関や勝手口の上がり框等として用いられるＬ型化粧材としては、例えば下記特許文献１が挙げられる。
下記特許文献１には、見付け面部及び天面部をもった断面Ｌ字状のＬ型化粧材が開示されており、このＬ字型化粧材の見付け面部の裏面側には、スペーサの挿入部となる凹溝が形成されている。これによれば、特許文献１の図３（ａ）、図３（ｂ）に示されているようにＬ型化粧材の天面部の厚みを床材の板厚に対応させて変えることができる。
【先行技術文献】
【特許文献】
【０００３】
【特許文献１】特開２０００−１３６６２２号公報
【発明の概要】
【発明が解決しようとする課題】
【０００４】
ところでこのようなＬ型化粧材は、基材の表面に貼着された化粧シートの剥がれや浮きが生じにくく、折曲げ部分の強度が確保されたものが望まれる。
例えばＬ型化粧材を玄関の上がり框として用いた場合、化粧シートの端部に小さな剥がれが生じて引っ掛かりがあると、昇降する人や荷物等がその引っ掛かりに触れ、そこから化粧シートが剥がれてしまうおそれがある。また例えばＬ型化粧材の天面部の厚みを床材の厚みに合わせて薄くした場合、Ｌ型化粧材の折り曲げ部分の強度が弱くなるおそれがある。
【０００５】
本発明は、上記実情に鑑みてなされたものであり、化粧シートが剥がれにくく折り曲げ部分の強度を確保できるＬ型化粧材を提供することを目的としている。
【課題を解決するための手段】
【０００６】
上記目的を達成するために、本発明に係るＬ型化粧材は、表面全体に化粧シートが貼着された基材を前記表面側が山折りになるように折曲部で折り曲げて天面部及び側面部を有した断面Ｌ字状に形成されるＬ型化粧材であって、前記天面部には、その一端部分を薄肉状に形成し該薄肉の部分同士が重なり合うように裏面側へ折り返して前記基材の板厚と同じ板厚となる第１折返部が形成され、前記側面部には、その一端部分を裏面側に折り返して重なり合うことで前記基材の板厚よりも厚肉となる第２折返部が形成されていることを特徴とする。
【０００７】
本発明においては、前記側面部の裏面には、該裏面に当接した状態で沿うように配されるとともに、一方の端面が前記第２折返部で折り返された前記基材の端面と突き合わせ状態となるスペーサが設けられ、前記天面部には、前記スペーサの他方の端面が係止される凹溝が形成されているようにしてもよい。
【発明の効果】
【０００８】
本発明に係るＬ型化粧材は、上述のような構成としたことで、化粧シートが剥がれにくく折り曲げ部分の強度を確保することができる。
【図面の簡単な説明】
【０００９】
【図１】（ａ）、（ｂ）は、いずれも本発明の一実施形態に係るＬ型化粧材の一例を模式的に示し、（ａ）は概略側面図、（ｂ）は一部破断概略斜視図である。
【図２】同Ｌ型化粧材の構造を説明するために模式的に示す概略断面図である。
【発明を実施するための形態】
【００１０】
以下に本発明の実施の形態について、図面に基づいて説明する。
図１、図２は、本実施形態に係るＬ型化粧材の一例を模式的に示す図である。
本実施形態に係るＬ型化粧材１は、表面３ａ全体に化粧シート２が貼着された基材３を表面３ａ側が山折りになるように折曲部６で折り曲げて天面部４及び側面部５を有した断面Ｌ字状に形成される。天面部４には、その一端部分を薄肉状に形成し該薄肉の部分同士が重なり合うように裏面３ｂ側へ折り返して基材３の板厚ｔ１と同じ板厚となる第１折返部４０が形成されている。側面部５には、その一端部分を裏面３ｂ側に折り返して重なり合うことで基材３の板厚ｔ１よりも厚肉となる第２折返部５０が形成されている。以下、詳しく説明する。
なお、図中の符号は適宜省略した箇所があり、図１（ａ）では化粧シート２は２点鎖線で示しており、図１（ｂ）では化粧シート２の図示を省略している。
【００１１】
このＬ型化粧材１は、図１（ａ）に示すように断面視においてＬ字状とされており、例えば玄関や勝手口等の上がり框として用いることができ、床下地やリフォームの場合は既存の上がり框の上や床材の上等に施工される。
基材３としては、合板やＬＶＬ（単板積層材）等の木質積層板、パーティクルボード等の木質ボード、インシュレーションボードやＭＤＦ（中密度繊維板）等の木質繊維板などの木質系材料が用いられる他、無垢材としてもよい。また基材３は、木粉に、合成樹脂系材料や無機フィラー、相溶化剤、着色剤などを所定の含有割合で含有させた木粉・プラスチック複合材（ＷＰＣ）から形成されたものとしてもよい。さらに基材３は、これら種々の材料からなる板材を積層した複層構造とされたものとしてもよい。
【００１２】
基材３の表面３ａに貼着される化粧シート２は、基材３の折り曲げに耐えられる可撓性を有した薄いシート状とされ、木目模様等の模様が施されたものとしてもよく、例えばポリエチレンやポリプロピレン、ポリ塩化ビニル、ポリエチレンテレフタレート等の合成樹脂製シートを採用するようにしてもよい。また化粧シート２に抗菌塗装や防滑塗装を施すようにしてもよい。図中、２ａは化粧シート２の端部を示している。
【００１３】
基材３は、これを折曲部６でＬ字状に折り曲げる前は、図２に示すよう略矩形平板状に形成され、その板厚ｔ１は、特に限定されないが、例えば６．５ｍｍ〜８ｍｍ程度が望ましく、Ｌ字化粧材１と並んで敷設される床材（不図示）と同程度の厚みに設定してもよい。基材３の表面３ａには、化粧シート２が基材３の端から端まで全面に貼着されている（図２参照）。基材３の裏面３ｂには、木質系材料等からなる基材３を折り曲げるために断面略Ｖ字形状の複数の溝が形成されている。具体的には、基材３の裏面３ｂの中央位置には、折曲部６を形成するための断面略Ｖ字形状の２本の溝が、所定の幅寸法で平行に切削される。そして２本の溝の間に断面三角形状に残った部分（三角凸部６０）が、基材３を表面３ａが山折りになるように折曲部６で折り曲げた際には、図１（ａ）に示すように角が取れた面取形状を形成する。そして基材３の折曲部６を挟んで一方が天面部４、他方が側面部５とされる。折曲部６には、基材３をＬ字状に折り曲げた際に天面部４の折曲部６側の内方端部４２を受け入れる空間が設けられており、内方端部４２の角部が嵌合するように凹状の段部６ａが形成されている（図１（ａ）及び図２参照）。天面部４の内方端部４２の近傍部位には、側面部５の裏面５ａに当接した状態で沿うように配されるスペーサ７が係止される凹溝４１が形成されている。凹溝４１は、図１（ａ）に示すようにスペーサ７の端面７１が係止された際に若干の隙間が設けられるように形成されている。
【００１４】
基材３の天面部４には、その一端部分に第１折返部４０が形成されており、第１折返部４０は、三角凸部４３と、表面板状部４５と、裏面板状部４４と、段壁部４０ａとを有している。第１折返部４０は、第１折返部４０の裏面板状部４４を裏面３ｂ側に折返し、裏面板状部４４と表面板状部４５とが重なり合った状態で天面部４として構成され、基材３の板厚ｔ１（図１（ａ）参照）と同じ板厚になるよう形成される。よって基材３の天面部４側の一端部分は、基材３の板厚ｔ１の半分の厚みになるまで切削されており、薄肉とされた一端部分の中央位置には、長手方向に沿って断面略Ｖ字形状の２本の溝が平行に切削され、２本の溝の間には断面三角形状に残った部分が三角凸部４３とされ、三角凸部４３を挟んで折曲部６側が表面板状部４５、その反対側が裏面板状部４４とされる。２本の溝の傾斜面の角度や三角凸部４３の頂点（化粧シート２から突出している頂点）の角度はいずれも直角（すなわち９０°）とされる。これにより、基材３の天面部４の一端部分を裏面３ｂ側に折り返すと略直角な角部を有した板状の天面部４とすることができ、基材３の天面部４側の端面３０は、薄厚に切削されることで形成された段壁部４０ａと突き合わせされた状態となる（図１（ａ）参照）。また第１折返部４０が折り返された状態では、表面板状部４５は天面部４の表面の一部を構成し、裏面板状部４４は天面部４の裏面の一部を構成する。図２に示すように第１折返部４０を折り返す前の板厚ｔ３が、基材３の板厚ｔ１の半分の薄さであるので、第１折返部４０を折り返した後の状態では、裏面板状部４４は段差空間に収まった状態となり、図１（ａ）に示すように天面部４の裏面と裏面板状部４４とは面一となる。また基材３の板厚ｔ１の半分の薄さである表面板状部４５と裏面板状部４４とが重なり合って、第１折返部４０の板厚は、基材３の板厚ｔ１と同じ板厚ｔ１となる。よって、例えば基材３の板厚ｔ１を室内床の床材の板厚と同じ板厚になるように設定すれば、天面部４と板厚と床材の板厚とを同じとすることができる。
また上述したように化粧シート２は基材３の表面全面に貼着されているので、裏面板状部４４の表面にも化粧シート２が貼着されていることになる。
なお、基材３の天面部４側の一端部分は、基材３の板厚ｔ１の半分の厚みに切削されたものに限らず、表面板状部４５と裏面板状部４４とを重ねた際に基材３の板厚ｔ１の厚みになるようにすれば、必ずしも表面板状部４５及び裏面板状部４４の板厚を同じにしなくても良い。
【００１５】
基材３の側面部５には、その一端部分に第２折返部５０が形成されており、第２折返部５０は、三角凸部５１と、裏面板状部５２とを有している。第２折返部５０は、第２折返部５０の裏面板状部５２を裏面３ｂ側に折り返して重なり合うことで基材３の板厚ｔ１よりも厚肉となるように形成されている。第２折返部５０は、基材３を第２折返部５０で折り返した状態で側面部５として構成される寸法を考慮して形成され、基材３の側面部５側の端面３１から所定寸法離れた箇所に長手方向に沿って断面略Ｖ字形状の２本の溝が平行に切削され、２本の溝の間には断面三角形状に残った部分が三角凸部５１とされ、三角凸部５１を挟んで折曲部６側とは反対側（端面３１側）が裏面板状部５２とされる。２本の溝の傾斜面の角度や三角凸部５１の頂点（化粧シート２から突出している頂点）の角度はいずれも直角（すなわち９０°）とされる。これにより、基材３の側面部５の一端部分を裏面３ｂに折り返すと略直角な角部を有した板状の側面部５とすることができ、裏面板状部５２は、基材３に重なり合うようにして折り返されるので、側面部５の板厚ｔ２は、基材３の板厚ｔ１の倍の厚みとすることができる。また上述したように化粧シート２は、基材３の表面全面に貼着されているので、裏面板状部５２の表面にも化粧シート２が貼着されていることになる。
以上によれば、化粧シート２が基材３の表面３ａ全体に貼着され、化粧シート２は上述の天面部４の裏面にも側面部５の裏面５ａにも巻装された状態で配されるため、化粧シート２が基材３の端部から剥がれたり、浮いてしまうことを防ぐことができる。よって、人の昇降が頻繁になされる玄関の上がり框用のＬ型化粧材１として好適とされる。
【００１６】
側面部５の裏面５ａには、裏面５ａに当接した状態で沿うように配されるとともに、一方の端面７０が第２折返部５０で折り返された基材３の端面３１と突き合わせ状態となるスペーサ７が設けられている。スペーサ７は基材３と同じ程度の板厚ｔ１とされ、Ｌ型化粧材１の補強材として機能する剛性を備えていれば、その材質は、基材３と同様の木質系材料等とすることができる他、プラスチック材等としてもよい。スペーサ７は、図１（ｂ）に示すように略矩形状の平板体とされ、基材３の側面部５と同様に横長形状としてもよいし、適宜間隔を空けて設けられるものであってもよい。スペーサ７の一方の端面７０は、基材３の端面３１と突き合わせ状態とされ、他方の端面７１は、天面部４の凹溝４１に係止される。このとき、スペーサ７の片面に接着剤を塗布し、側面部５の裏面５ａに接着して設けてもよい。
【００１７】
このように天面部４より厚肉になる側面部５にスペーサ７が配設され、天面部４側にスペーサ７が係止される凹溝４１が形成されたものすれば、折曲部６の強度が弱くなることを防止することができる。特に図１（ａ）に示すように、側面部５に当接した状態で配され凹溝４１に係止部されたスペーサ７と三角凸部６０との間に内方端部４２が突出した状態で介在するので、より一層折曲部６の強度を補強することができる。
なお、スペーサ７を図例のように別途形成して設けるのではなく、裏面板状部５２がスペーサになるように、裏面板状部５２を側面部５の裏面５ａに沿わせることができる程のサイズとしてもよい。この場合、基材３の側面部５側の端面３１が凹溝４１に係止されることになり、三角凸部６０と側面部５に当接した状態で配された裏面板状部５２との間に内方端部４２が突出した状態で介在することになり、上述と同様に折曲部６の強度を確保できる。
【００１８】
なお、Ｌ型化粧材１、化粧シート２、基材３、折曲部６、スペーサ７、第１折返部４０、第２折返部５０等の構成、形状は図例に限定されるものではない。例えば、本実施形態では折曲部６が基材３の中央位置よりもずれた位置に形成し、天面部４よりも側面部５が大きく形成された例を示しているが、これに限定されない。天面部４と側面部５とが同じ大きさになるようにしてもよいし、天面部４よりも側面部５が小さく形成されるように構成してもよく、Ｌ型化粧材１の設置向きも図例に限定されない。また本実施形態では、天面部４が床材と並んで設けられる例を説明したが、この例に限定されず、Ｌ型化粧材１の適用場所は、上がり框に限定されず、玄関の付け框、床の間に設けられる床框の他、階段の踏板角部に設けられる化粧材としてもよい。
【符号の説明】
【００１９】
１          Ｌ型化粧材
２          化粧シート
３          基材
３ａ        表面
３ｂ        裏面
３０，３１  端面
４          天面部
４０        第１折返部
４１        凹溝
５          側面部
５ａ        裏面
５０        第２折返部
６          折曲部
７          スペーサ
７０，７１  端面
【図１】
2016056610.tif 000003
【図２】
2016056610.tif 000004